(57)【要約】  応答閾値を容易に設定することができる通行管理システム（１）を提供する。通行管理システム（１）は、管理領域の外部と内部との境界に設けられたゲート（２）と、ゲート（２）の一側に設けられた第１読取装置（３）と、ゲートの他側に設けられた第２読取装置（４）と、第１読取装置（３）から第１呼出電波を受信し、第１呼出電波の第１受信強度値の情報を含んだ第１応答電波を送信し、第２読取装置（４）から第２呼出電波を受信し、第２呼出電波の第２受信強度値の情報を含んだ第２応答電波を送信するタグ（５）と、第１読取装置（３）がタグ（５）から前記第１応答電波を受信し、第２読取装置（４）がタグ（５）から前記第２応答電波を受信し、第１受信強度値と第２受信強度値との合計値が通行閾値以上である場合に、ゲート（２）を解錠する制御装置（６）と、を備え、第１応答閾値と第２応答閾値とは、タグ（５）が操作された際に測定された第１受信強度値と第２受信強度値とに基づいて設定された。
2019229975.tif 000002
【特許請求の範囲】
【請求項１】
管理領域の外部と内部との境界に設けられたゲートと、  前記ゲートの一側に設けられ、第１応答閾値の情報を含んだ第１呼出電波を送信する第１読取装置と、  前記ゲートの他側に設けられ、第２応答閾値の情報を含んだ第２呼出電波を送信する第２読取装置と、  前記第１読取装置から前記第１呼出電波を受信し、前記第１呼出電波の第１受信強度値の情報を含んだ第１応答電波を送信し、前記第２読取装置から前記第２呼出電波を受信し、前記第２呼出電波の第２受信強度値の情報を含んだ第２応答電波を送信するタグと、  前記第１読取装置が前記タグから前記第１応答電波を受信し、前記第２読取装置が前記タグから前記第２応答電波を受信し、前記第１受信強度値と前記第２受信強度値との合計値が通行閾値以上である場合に、前記ゲートを解錠する制御装置と、を備え、  前記第１応答閾値と前記第２応答閾値とは、前記タグが操作された際に測定された第１受信強度値と第２受信強度値とに基づいて設定された通行管理システム。
【請求項２】
前記第１応答閾値は、水平投影面上において前記第１読取装置の位置を中心として前記第２読取装置の位置を通る円と前記第２読取装置の位置を中心として前記第１読取装置の位置を通る円とが重なる領域で前記タグが操作された際に測定された第１受信強度値に基づいて設定され、  前記第２応答閾値は、水平投影面上において前記第１読取装置の位置を中心として前記第２読取装置の位置を通る円と前記第２読取装置の位置を中心として前記第１読取装置３の位置を通る円とが重なる領域で前記タグが操作された際に測定された第２受信強度値に基づいて設定された請求項１に記載の通行管理システム。
【請求項３】
前記通行閾値は、水平投影面上において前記第１読取装置と前記第２読取装置とを結ぶ直線上で前記タグが操作された際に測定された第１受信強度値と第２受信強度値とに基づいて設定された請求項１または請求項２に記載の通行管理システム。
【請求項４】
請求項１から請求項３のいずれか一項に記載の通行管理システムから第１受信強度値の情報と第２受信強度値の情報とを取得する受信強度値取得部と、  前記タグにおいて予め設定された第１操作がなされた際における第１受信強度値と第２受信強度値との合計値から予め設定された許容差を差し引いた値を前記通行閾値として設定する閾値設定部と、を備えた通行管理情報設定装置。
【請求項５】
前記閾値設定部は、前記タグにおいて予め設定された第２操作がなされた際における第１受信強度値を第１応答閾値として設定し、前記タグにおいて予め設定された第２操作がなされた際における第２受信強度値を第２応答閾値として設定する請求項４に記載の通行管理情報設定装置。
【請求項６】
前記閾値設定部は、前記タグにおいて予め設定された第３操作がなされた際における第１受信強度値と第２受信強度値との合計値が前記通行閾値よりも大きい場合に、前記通行閾値を前記第１受信強度値と前記第２受信強度値との合計値に更新し、前記タグにおいて予め設定された第４操作がなされた際における前記第１受信強度値と前記第２受信強度値との合計値が前記通行閾値よりも小さい場合に、前記通行閾値を前記第１受信強度値と前記第２受信強度値との合計値に更新する請求項４または請求項５に記載の通行管理情報設定装置。
【請求項７】
前記閾値設定部は、前記タグにおいて予め設定された第５操作がなされた際における第１受信強度値が前記第１応答閾値よりも大きい場合に、前記第１応答閾値を前記第１受信強度値に更新し、前記タグにおいて予め設定された第５操作がなされた際における第２受信強度値が前記第２応答閾値よりも大きい場合に、前記第２応答閾値を前記第２受信強度値に更新し、前記タグにおいて予め設定された第６操作がなされた際における第１受信強度値が前記第１応答閾値よりも小さい場合に、前記第１応答閾値を前記第１受信強度値に更新し、前記タグにおいて予め設定された第６操作がなされた際における第２受信強度値が前記第２応答閾値よりも小さい場合に、前記第２応答閾値を前記第２受信強度値に更新する請求項４から請求項６のいずれか一項に記載の通行管理情報設定装置。
【発明の詳細な説明】
【技術分野】
【０００１】  この発明は、通行管理システムおよび通行管理情報設定装置に関する。
【背景技術】
【０００２】  特許文献１は、通行管理システムを開示する。通行管理システムにおいては、タグが予め設定された応答閾値以上の呼出電波を読取装置から受信した際に通行する意思があると判定する設定がなされることがある。
【先行技術文献】
【特許文献】
【０００３】
【特許文献１】国際公開第２０１４／１０９０３３号
【発明の概要】
【発明が解決しようとする課題】
【０００４】  しかしながら、特許文献１に記載の通行管理システムにおいては、応答閾値の設定は、手動で行われる。このため、応答閾値を適切な値にするために時間がかかる。【０００５】  この発明は、上述の課題を解決するためになされた。この発明の目的は、応答閾値を容易に設定することができる通行管理システムおよび通行管理情報設定装置を提供することである。
【課題を解決するための手段】
【０００６】  この発明に係る通行管理システムは、管理領域の外部と内部との境界に設けられたゲートと、前記ゲートの一側に設けられ、第１応答閾値の情報を含んだ第１呼出電波を送信する第１読取装置と、前記ゲートの他側に設けられ、第２応答閾値の情報を含んだ第２呼出電波を送信する第２読取装置と、前記第１読取装置から前記第１呼出電波を受信し、前記第１呼出電波の第１受信強度値の情報を含んだ第１応答電波を送信し、前記第２読取装置から前記第２呼出電波を受信し、前記第２呼出電波の第２受信強度値の情報を含んだ第２応答電波を送信するタグと、前記第１読取装置が前記タグから前記第１応答電波を受信し、前記第２読取装置が前記タグから前記第２応答電波を受信し、前記第１受信強度値と前記第２受信強度値との合計値が通行閾値以上である場合に、前記ゲートを解錠する制御装置と、を備え、前記第１応答閾値と前記第２応答閾値とは、前記タグが操作された際に測定された第１受信強度値と第２受信強度値とに基づいて設定された。【０００７】  この発明に係る通行管理情報設定装置は、前記通行管理システムから第１受信強度値の情報と第２受信強度値の情報とを取得する受信強度値取得部と、前記タグにおいて予め設定された第１操作がなされた際における第１受信強度値と第２受信強度値との合計値から予め設定された許容差を差し引いた値を前記通行閾値として設定する閾値設定部と、を備えた。
【発明の効果】
【０００８】  この発明によれば、第１応答閾値と第２応答閾値とは、タグが操作された際に測定された第１受信強度値と第２受信強度値とに基づいて設定される。このため、応答閾値を容易に設定することができる。
【図面の簡単な説明】
【０００９】
【図１】実施の形態１における通行管理システムの構成図である。
【図２】実施の形態１における通行管理システムに適用される第１応答閾値と第２応答閾値と通行閾値とが設定される際の通行管理システムと通行管理情報設定装置との動作の例を説明するためのフローチャートである。
【図３】実施の形態１における通行管理システムにおいて利用者がゲートを通行する際の通行管理システムの動作の例を説明するためのフローチャートである。
【図４】実施の形態１における通行管理システムに適用される通行管理情報設定装置のハードウェア構成図である。
【発明を実施するための形態】
【００１０】  この発明を実施するための形態について添付の図面に従って説明する。なお、各図中、同一または相当する部分には同一の符号が付される。当該部分の重複説明は適宜に簡略化ないし省略する。
【００１１】実施の形態１．  図１は実施の形態１における通行管理システムの構成図である。
【００１２】  図１の通行管理システムにおいて、通行制限装置１は、管理領域の外部と内部との境界に設けられる。通行制限装置１は、一対の壁体１ａを備える。一対の壁体１ａは、間隔をあけて配置される。
【００１３】  ゲート２は、通行制限装置１に設けられる。ゲート２は、一対の扉２ａを備える。一対の扉２ａの一方は、一対の壁体１ａの一方に設けられる。一対の扉２ａの他方は、一対の壁体１ａの他方に設けられる。
【００１４】  第１読取装置３は、ゲート２の一側において通行制限装置１に設けられる。具体的には、第１読取装置３は、一対の壁体１ａの一方において管理領域の外部の側に設けられる。第２読取装置４は、ゲート２の他側において通行制限装置１に設けられる。具体的には、第２読取装置４は、一対の壁体１ａの他方において管理領域の外部の側に設けられる。
【００１５】  タグ５は、管理領域の利用者に携帯される。例えば、タグ５は、少なくとも一つのボタン５ａを備える。
【００１６】  制御装置６は、通行制限装置１と第１読取装置３と第２読取装置４とに電気的に接続される。
【００１７】  第１読取装置３は、第１応答閾値の情報と認証開始コマンドの情報とを含んだ第１呼出電波を常に送信する。第２応答閾値の情報と認証開始コマンドの情報とを含んだ第２呼出電波を常に送信する。第１応答閾値と第２応答閾値とは、タグ５の中で受信強度値と比較される。受信強度値が第１応答閾値または第２応答閾値以上の場合、タグ５は、対応した応答電波を送信する。
【００１８】  タグ５は、第１読取装置３からの第１呼出電波を受信した際にタグ情報を含んだ第１応答電波を送信する。タグ５は、第２読取装置４からの第２呼出電波を受信した際にタグ情報を含んだ第２応答電波を送信する。
【００１９】  第１読取装置３は、タグ５からの第１応答電波を受信した際に当該第１応答電波に含まれたタグ情報を制御装置６に送信する。第２読取装置４は、タグ５からの第２応答電波を受信した際に当該第２応答電波に含まれたタグ情報を制御装置６に送信する。
【００２０】  その後、タグ５は、第１呼出電波の第１受信強度値を測定する。タグ５は、当該第１受信強度値の情報を含んだ第１応答電波を一定時間の間だけで送信する。タグ５は、第２呼出電波の第２受信強度値を測定する。タグ５は、当該第２受信強度値の情報を含んだ第２応答電波を一定時間の間だけ送信する。
【００２１】  第１読取装置３は、タグ５から第１呼出電波の第１受信強度値の情報を含んだ第１応答電波を受信した際に当該第１受信強度値の情報を制御装置６に送信する。第２読取装置４は、タグ５から第２呼出電波の第２受信強度値の情報を含んだ第２応答電波を受信した際に当該第２受信強度値の情報を制御装置６に送信する。
【００２２】  制御装置６は、第１読取装置３と第２読取装置４とからのタグ情報と予め登録されたタグ情報とを比較する。制御装置６は、第１読取装置３と第２読取装置４とからの受信強度値の情報と予め設定された認証範囲に対応した値の情報とを比較する。
【００２３】  制御装置６は、タグ情報の比較結果と受信強度値の情報の比較結果とに基づいて認証判定を行う。例えば、第１読取装置３と第２読取装置４とからのタグ情報と予め登録されたタグ情報とが一致し、第１受信強度値と第２受信強度値との合計値が予め設定された通行閾値以上である場合、制御装置６は、当該タグ５を認証する。
【００２４】  制御装置６は、通行制限装置１と第１読取装置３と第２読取装置４とに認証判定の結果の情報を送信する。
【００２５】  通行制限装置１は、認証判定の結果の情報が認証されたことを示す情報である場合に解錠動作を行う。例えば、通行制限装置１は、ゲート２を解錠する。その結果、ゲート２は、開く。
【００２６】  例えば、通行管理情報設定装置７は、パーソナルコンピュータである。通行管理情報設定装置７は、制御装置６に電気的に接続される。例えば、通行管理情報設定装置７は、受信強度値取得部７ａと閾値設定部７ｂとを備える。
【００２７】  受信強度値取得部７ａは、制御装置６を介して第１受信強度値の情報と第２受信強度値の情報とを取得し得るように設けられる。閾値設定部７ｂは、第１受信強度値の情報と第２受信強度値の情報とに基づいて第１応答閾値と第２応答閾値と通行閾値とを設定し得るように設けられる。
【００２８】  次に、図２を用いて、第１応答閾値と第２応答閾値と通行閾値とが設定される際の通行管理システムと通行管理情報設定装置７との動作の例を説明する。  図２は実施の形態１における通行管理システムに適用される第１応答閾値と第２応答閾値と通行閾値とが設定される際の通行管理システムと通行管理情報設定装置との動作の例を説明するためのフローチャートである。
【００２９】  ステップＳ１では、タグ５は、予め設定された第１操作がなされた際における第１受信強度値と第２受信強度値とを測定する。例えば、タグ５は、ボタン５ａが押された際における第１受信強度値と第２受信強度値とを測定する。その後、ステップＳ２の動作が行われる。ステップＳ２では、タグ５は、当該第１受信強度値を含んだ第１応答電波を第１読取装置３に送信する。タグ５は、当該第２受信強度値を含んだ第２応答電波を第２読取装置４に送信する。
【００３０】  その後、ステップＳ３の動作が行われる。ステップＳ３では、第１読取装置３は、当該第１受信強度値が予め設定された認証範囲内に対応した値であるか否かを判定する。第２読取装置４は、当該第２受信強度値が予め設定された認証範囲内に対応した値であるか否かを判定する。
【００３１】  ステップＳ３で当該第１受信強度値と当該第２受信強度値とのうちの少なくとも一方が予め設定された認証範囲内に対応した値でない場合、第１応答閾値と第２応答閾値と通行閾値との設定が行われずに動作が終了する。
【００３２】  ステップＳ３で当該第１受信強度値と当該第２受信強度値とが予め設定された認証範囲内に対応した値である場合、ステップＳ４の動作が行われる。ステップＳ４では、第１読取装置３は、制御装置６を介して当該第１受信強度値の情報を通行管理情報設定装置７に送信する。第２読取装置４は、制御装置６を介して当該第２受信強度値の情報を通行管理情報設定装置７に送信する。
【００３３】  その後、ステップＳ５の動作が行われる。ステップＳ５では、通行管理情報設定装置７は、当該第１受信強度値と当該第２受信強度値との合計値を基準強度値として設定する。
【００３４】  その後、ステップＳ６の動作が行われる。ステップＳ６では、タグ５は、予め設定された第２操作がなされた際における第１受信強度値と第２受信強度値とを測定する。例えば、タグ５は、ボタン５ａが押された際における第１受信強度値と第２受信強度値とを測定する。その後、ステップＳ７の動作が行われる。ステップＳ７では、タグ５は、当該第１受信強度値を含んだ第１応答電波を第１読取装置３に送信する。タグ５は、当該第２受信強度値を含んだ第２応答電波を第２読取装置４に送信する。
【００３５】  その後、ステップＳ８の動作が行われる。ステップＳ８では、第１読取装置３は、当該第１受信強度値が予め設定された認証範囲内に対応した値であるか否かを判定する。第２読取装置４は、当該第２受信強度値が予め設定された認証範囲内に対応した値であるか否かを判定する。
【００３６】  ステップＳ８で当該第１受信強度値と当該第２受信強度値とのうちの少なくとも一方が予め設定された認証範囲内に対応した値でない場合、第１応答閾値と第２応答閾値と通行閾値との設定が行われずに動作が終了する。
【００３７】  ステップＳ８で当該第１受信強度値と当該第２受信強度値とが予め設定された認証範囲内に対応した値である場合、ステップＳ９の動作が行われる。ステップＳ９では、第１読取装置３は、制御装置６を介して当該第１受信強度値の情報を通行管理情報設定装置７に送信する。第２読取装置４は、制御装置６を介して当該第２受信強度値の情報を通行管理情報設定装置７に送信する。
【００３８】  その後、ステップＳ１０の動作が行われる。ステップＳ１０では、通行管理情報設定装置７は、当該第１受信強度値を第１応答閾値として設定する。通行管理情報設定装置７は、当該第２受信強度値を第２応答閾値として設定する。
【００３９】  その後、ステップＳ１１の動作が行われる。ステップＳ１１では、通行管理情報設定装置７は、第１応答閾値の情報を第１読取装置３に送信する。通行管理情報設定装置７は、第２応答閾値の情報を第２読取装置４に送信する。通行管理情報設定装置７は、基準強度値の情報を制御装置６に送信する。
【００４０】  次に、図３を用いて、利用者がゲート２を通行する際の通行管理システムの動作の例を説明する。  図３は実施の形態１における通行管理システムにおいて利用者がゲートを通行する際の通行管理システムの動作の例を説明するためのフローチャートである。
【００４１】  ステップＳ２１では、第１読取装置３は、第１応答閾値の情報と認証開始コマンドの情報とを含んだ第１呼出電波を送信する。第２読取装置４は、第２応答閾値の情報と認証開始コマンドの情報とを含んだ第２呼出電波を送信する。
【００４２】  その後、タグ５が接近すると、ステップＳ２２の動作が行われる。ステップＳ２２では、第１読取装置３は、タグ５からの第１呼出電波に基づいてタグ５が第１応答閾値に対応した範囲内に存在しているか否かを判定する。第２読取装置４は、タグ５からの第２呼出電波に基づいてタグ５が第２応答閾値に対応した範囲内に存在しているか否かを判定する。
【００４３】  ステップＳ２２でタグ５が第１応答閾値に対応した範囲内かつ第２応答閾値に対応した範囲内に存在しているとの条件が成立しない場合、通行管理システムは、動作を終了する。
【００４４】  ステップＳ２２でタグ５が第１応答閾値に対応した範囲内かつ第２応答閾値に対応した範囲内に存在しているとの条件が成立する場合、ステップＳ２３の動作が行われる。ステップＳ２３では、タグ５は、タグ情報が含まれた第１応答電波とタグ情報が含まれた第２応答電波とを送信し続ける。
【００４５】  その後、ステップＳ２４の動作が行われる。ステップＳ２４では、第１読取装置３と第２読取装置４とは、タグ５からのタグ情報を制御装置６に送信する。
【００４６】  その後、ステップＳ２５の動作が行われる。ステップＳ２５では、制御装置６は、第１読取装置３と第２読取装置４とからのタグ情報が予め登録されたタグ情報と一致するか否かを判定する。
【００４７】  ステップＳ２５で第１読取装置３と第２読取装置４とからのタグ情報が予め登録されたタグ情報とが一致しない場合、通行管理システムは、動作を終了する。
【００４８】  ステップＳ２５で第１読取装置３と第２読取装置４とからのタグ情報が予め登録されたタグ情報とが一致する場合、ステップＳ２６の動作が行われる。ステップＳ２６では、タグ５は、予め設定された一定時間の間だけ第１受信強度値の情報を含んだ第１応答電波と第２受信強度値を含んだ第２応答電波とを送信する。
【００４９】  その後、ステップＳ２７の動作が行われる。ステップＳ２７では、第１読取装置３は、第１受信強度値の情報を予め設定された一定周期で制御装置６に送信する。第２読取装置４は、第２受信強度値の情報を予め設定された一定周期で制御装置６に送信する。
【００５０】  その後、ステップＳ２８の動作が行われる。ステップＳ２８では、制御装置６は、第１受信強度値と第２受信強度値との合計値が基準強度値から予め設定された許容差αを差し引いた値以上であって基準線に予め設定された許容差αを足し合わせた値以下であるとの条件が成立しているか否かを判定する。
【００５１】  ステップＳ２８で第１受信強度値と第２受信強度値との合計値が基準強度値から予め設定された許容差αを差し引いた値以上であって基準線に予め設定された許容差αを足し合わせた値以下であるとの条件が成立していない場合、通行管理システムは、動作を終了する。
【００５２】  ステップＳ２８で第１受信強度値と第２受信強度値との合計値が基準強度値から予め設定された許容差αを差し引いた値以上であって基準線に予め設定された許容差αを足し合わせた値以下であるとの条件が成立している場合、ステップＳ２９の動作が行われる。ステップＳ２９では、制御装置６は、ゲート２を解錠する。その後、通行管理システムは、動作を終了する。
【００５３】  以上で説明した実施の形態１によれば、第１応答閾値と第２応答閾値とは、タグ５が操作された際に測定された第１受信強度値と第２受信強度値とに基づいて設定される。このため、第１応答閾値と第２応答閾値とを適切かつ容易に設定することができる。
【００５４】  例えば、水平投影面上において第１読取装置３の位置を中心として第２読取装置４の位置を通る円と第２読取装置４の位置を中心として第１読取装置３の位置を通る円とが重なる領域でタグ５が操作された際に測定された第１受信強度値に基づいて第１応答閾値を設定すればよい。例えば、水平投影面上において第１読取装置３の位置を中心として第２読取装置４の位置を通る円と第２読取装置４の位置を中心として第１読取装置３の位置を通る円とが重なる領域でタグ５が操作された際に測定された第２受信強度値に基づいて第２応答閾値を設定すればよい。この場合、第１応答閾値と第２応答閾値とをより適切に設定することができる。
【００５５】  また、通行閾値は、タグ５が操作された際に測定された第１受信強度値と第２受信強度値とに基づいて設定される。このため、通行閾値を適切かつ容易に設定することができる。
【００５６】  例えば、水平投影面上において第１読取装置３と第２読取装置４とを結ぶ直線上でタグ５が操作された際に測定された第１受信強度値と第２受信強度値とに基づいて通行閾値を設定すればよい。この場合、第１読取装置３と第２読取装置４とを結ぶ直線上の第１受信強度値と第２受信強度値との合計値とがほぼ一定であることを利用して、利用者の通行の意思をより適切に判定することができる。
【００５７】  また、通行閾値の下限値は、基準強度値から予め設定された許容差を差し引いて設定される。このため、利用者の通行の意思をより適切に判定することができる。
【００５８】  この際、閾値設定部７ｂにおいて、基準強度値だけでなく通行閾値を設定してもよい。この場合も、利用者の通行のより意思を適切に判定することができる。
【００５９】  また、第１応答閾値と第２応答閾値とは、タグ５において予め設定された第２操作がなされた際における第１受信強度値と第２受信強度値とに設定される。このため、第１応答閾値と第２応答閾値とをより適切に設定することができる。
【００６０】  なお、タグ５において予め設定された第３操作がなされた際における第１受信強度値と第２受信強度値との合計値が通行閾値よりも大きい場合に、通行閾値を当該第１受信強度値と当該第２受信強度値との合計値に更新してもよい。タグ５において予め設定された第４操作がなされた際における第１受信強度値と第２受信強度値との合計値が通行閾値よりも小さい場合に、通行閾値を当該第１受信強度値と当該第２受信強度値との合計値に更新してもよい。これらの場合、通行閾値を状況に応じて適切な値に更新することができる。
【００６１】  また、タグ５において予め設定された第５操作がなされた際における第１受信強度値が第１応答閾値よりも大きい場合に、第１応答閾値を当該第１受信強度値に更新してもよい。タグ５において予め設定された第５操作がなされた際における第２受信強度値が第２応答閾値よりも大きい場合に、第２応答閾値を当該第２受信強度値に更新してもよい。タグ５において予め設定された第６操作がなされた際における第１受信強度値が第１応答閾値よりも小さい場合に、第１応答閾値を当該第１受信強度値に更新してもよい。タグ５において予め設定された第６操作がなされた際における第２受信強度値が第２応答閾値よりも小さい場合に、第２応答閾値を当該第２受信強度値に更新してもよい。これらの場合、第１応答閾値と第２応答閾値とを状況に応じて適切な値に更新することができる。
【００６２】  次に、図４を用いて、通行管理情報設定装置７の例を説明する。  図４は実施の形態１における通行管理システムに適用される通行管理情報設定装置のハードウェア構成図である。
【００６３】  通行管理情報設定装置７の各機能は、処理回路により実現し得る。例えば、処理回路は、少なくとも１つのプロセッサ８ａと少なくとも１つのメモリ８ｂとを備える。例えば、処理回路は、少なくとも１つの専用のハードウェア９を備える。
【００６４】  処理回路が少なくとも１つのプロセッサ８ａと少なくとも１つのメモリ８ｂとを備える場合、通行管理情報設定装置７の各機能は、ソフトウェア、ファームウェア、またはソフトウェアとファームウェアとの組み合わせで実現される。ソフトウェアおよびファームウェアの少なくとも一方は、プログラムとして記述される。ソフトウェアおよびファームウェアの少なくとも一方は、少なくとも１つのメモリ８ｂに格納される。少なくとも１つのプロセッサ８ａは、少なくとも１つのメモリ８ｂに記憶されたプログラムを読み出して実行することにより、通行管理情報設定装置７の各機能を実現する。少なくとも１つのプロセッサ８ａは、中央処理装置、処理装置、演算装置、マイクロプロセッサ、マイクロコンピュータ、ＤＳＰともいう。例えば、少なくとも１つのメモリ８ｂは、ＲＡＭ、ＲＯＭ、フラッシュメモリ、ＥＰＲＯＭ、ＥＥＰＲＯＭ等の、不揮発性または揮発性の半導体メモリ、磁気ディスク、フレキシブルディスク、光ディスク、コンパクトディスク、ミニディスク、ＤＶＤ等である。
【００６５】  処理回路が少なくとも１つの専用のハードウェア９を備える場合、処理回路は、例えば、単一回路、複合回路、プログラム化したプロセッサ、並列プログラム化したプロセッサ、ＡＳＩＣ、ＦＰＧＡ、またはこれらの組み合わせで実現される。例えば、通行管理情報設定装置７の各機能は、それぞれ処理回路で実現される。例えば、通行管理情報設定装置７の各機能は、まとめて処理回路で実現される。
【００６６】  通行管理情報設定装置７の各機能について、一部を専用のハードウェア９で実現し、他部をソフトウェアまたはファームウェアで実現してもよい。例えば、閾値設定部７ｂの機能については専用のハードウェア９としての処理回路で実現し、閾値設定部７ｂの機能以外の機能については少なくとも１つのプロセッサ８ａが少なくとも１つのメモリ８ｂに格納されたプログラムを読み出して実行することにより実現してもよい。
【００６７】  このように、処理回路は、ハードウェア９、ソフトウェア、ファームウェア、またはこれらの組み合わせで通行管理情報設定装置７の各機能を実現する。
【００６８】  図示されないが、制御装置６の各機能も、通行管理情報設定装置７の各機能を実現する処理回路と同様の処理回路で実現される。
【産業上の利用可能性】
【００６９】  以上のように、この発明に係る通行管理システムは、応答閾値を設定するシステムに利用できる。
【符号の説明】
【００７０】  １  通行制限装置、  １ａ  壁体、  ２  ゲート、  ２ａ  扉、  ３  第１読取装置、  ４  第２読取装置、  ５  タグ、  ５ａ  ボタン、  ６  制御装置、  ７  通行管理情報設定装置、  ７ａ  受信強度値取得部、  ７ｂ  閾値設定部、  ８ａ  プロセッサ、  ８ｂ  メモリ、  ９  ハードウェア
【図１】
2019229975.tif 000003
【図２】
2019229975.tif 000004
【図３】
2019229975.tif 000005
【図４】
2019229975.tif 000006
【国際調査報告】
2019229975.tif 000007
2019229975.tif 000008
2019229975.tif 000009